(57)【特許請求の範囲】
【請求項１】
仮囲いパネルに取付けるための結合用穴を有する翼状支持辺を左右両側の外面に設けて前面を額縁状に開口した浅底の箱状本体と、フィルムケースを上下方向で進退自在に保持するために前記額縁状開口の背面左右両側に設けたフィルムケースガイド部と、表示フィルムを入れ替え自在に挟持するフィルムケースであって該ケースの左右側部が前記ガイド部に案内支持されるようにした透光性のベース板と表示フィルムを前記ベース板の前面との間に挟持する透光性カバー板とを下端部において結合し、且つ前記結合した部が前記箱状本体の下端面から下方に露出する大きさに形成されて該露出部にキー穴部を形成する一方、前記キー穴部と対応する部位に、前記キー穴部に進退して当該フィルムケースの前記箱状本体に対する固定，離脱を制御するキー部材を設けたフィルムケースと、前記箱状本体の内部を含むＬＥＤ等の発光光源と、入力用プラグと出力用コンセントを具備していることを特徴とする仮囲いパネル用照明装置。
【請求項２】
入力用プラグと出力用コンセントは、リード線を介して箱状本体の外に具備する請求項1に記載の仮囲いパネル用照明装置。
【請求項３】
箱状本体の左右側に設けた翼状支持辺に形成した結合用の穴はダルマ穴であり、該ダルマ穴は、仮囲いパネル裏面の左右両側部に形成されたパネル接合用の段部に立てたネジ杆に係止され、該ネジにより前記パネルに前記箱状本体が締結されるようにした請求項１又は２に記載の照明装置。
【発明の詳細な説明】
【技術分野】
【０００１】
本発明は、工事現場等の周囲を囲むように設置される仮囲いに使用された金属製又は合成樹脂製パネル（以下、仮囲いパネルという）に装着して用いる照明装置に関する。
【背景技術】
【０００２】
仮囲いパネル用の照明装置としては、特許文献１〜３などによってフラットな照明装置を仮囲いパネルに装着するようにしたものが知られている。
【０００３】
上記照明装置は、工事現場等を取り囲む仮囲いにおいては夜間における街灯機能の目的や工事業者のＰＲ等の目的のため２〜３ｍ間隔など、様々な間隔で複数の照明装置が仮囲いに並べて設けられることがある。
【０００４】
また、仮囲いに設けた照明装置においては、工事業者や施主等の社名や社標等を表示することが多いが、その表示期間や表示時期によっては表示内容を変更することも多い。
【０００５】
しかし、前記特許文献により公知の照明装置の複数個が仮囲いパネルの前面に揃うように並べて設けられる場合において、各照明装置の電源ラインの配置や該電源ラインの接続について合現的な電源の導入形態を採用したものは見当たらない。
また、前記公知の照明装置における表示内容の変更においても、簡単迅速に表示内容の変更ができるものは見当たらない。
【先行技術文献】
【特許文献】
【０００６】
【特許文献１】特開平１０−１０２７８７号
【特許文献２】特開  ２００５−３３６９６２号
【特許文献３】特開  ２００７−２９１６２８号
【発明の概要】
【発明が解決しようとする課題】
【０００７】
本発明は、上述した仮囲いパネル用の照明装置における電源の新たな導入形態を提案すると共に、その表示内容の変更を容易，迅速になし得る構造を採用した仮囲いパネル用の照明装置を提供することを、その課題とする。
【課題を解決するための手段】
【０００８】
上記課題を解決することを目的としてなされた本発明照明装置の構造は、仮囲いパネルに取付けるための結合用穴を有する翼状支持辺を左右両側の外面に設けて前面を額縁状に開口した浅底の箱状本体と、表示フィルムを保持したフィルムケースを上下方向で進退自在に保持するために前記額縁状開口背面の左右両側に設けたフィルムケースガイド部と、前記表示フィルムを入れ替え自在に挟持するフィルムケースであって該ケースの左右側部が前記ガイド部に案内支持されるようにした透光性のベース板と表示フィルムを前記ベース板の前面との間に挟持する透光性カバー板とを下端部において結合したフィルムケースと、前記箱状本体の内部において前記フィルムケースの背面側に設けた電源部を含むＬＥＤ等の発光光源と、前記電源部に接続されたリード線を介して前記箱状本体の外に設けられた入力用プラグ及び出力用コンセントとを具備していることを第一特徴とするものである。
【０００９】
本発明において、上記フィルムケースは、ベース板とカバー板との下端における結合部が前記箱状本体の底壁下面から下方に露出する大きさに形成して該露出部にキー穴部を形成する一方、前記箱状本体の底壁下面における前記キー穴部と対応する部位に、前記キー穴部に進退して当該フィルムケースの箱状本体への固定，離脱を制御するキー部材を設けたことを第二の特徴とする。
【００１０】
本発明において、箱状本体の左右側に設けた翼状支持辺に形成した結合用穴はダルマ穴であり、該ダルマ穴は、仮囲いパネル裏面の左右両側部に形成されたパネル接合用段部に立てたネジに係止され、該ネジにより前記パネルに前記箱状本体が締結されるようにしたことを第三の特徴とする。
【発明の効果】
【００１１】
本発明では仮囲いパネルの内照式の照明装置を、仮囲いパネルに取付けるための結合用穴を有する翼状支持辺を左右両側の外面に設けて前面を額縁状に開口した浅底の箱状本体と、フィルムケースを上下方向で進退自在に保持するために前記額縁状開口背面の左右両側に設けたフィルムケースガイド部と、表示フィルムを入れ替え自在に扶持するフィルムケースであって該ケースの左右側部が前記ガイド部に案内支持されるようにした透光性のベース板と表示フィルムを前記ベース板の前面との間に挟持する透光性のカバー板とを下端部において結合したフィルムケースと、前記箱状本体の内部において前記フィルムケースの背面に設けた電源部を含むＬＥＤ等の発光光源と、リード線を介して前記箱状本体のそとに設けられた入力用プラグ及び出力用コンセントとを具備して形成したから、この照明装置が仮囲いのパネルに定スパンで設けられると、列設された複数個の照明装置の間で電源ラインを順次接続することができるから、各照明装置の電源ラインをスマートかつ合理的に設定することができる。
【図面の簡単な説明】
【００１２】
【図１】本発明照明装置を備えた仮囲いの一例の正面側からの斜視図。
【図２】図１の本発明照明装置の正面側からの拡大斜視図。
【図３】図２の本発明照明装置の箱状本体の正面図。
【図４】本発明照明装置を仮囲いパネルに架装する状態の背面図。
【図５】図１の仮囲いの背面図。
【図６】フィルムケースを箱状本体に挿入，離脱する状態を説明するための背面図。
【図７】本発明照明装置を仮囲いパネルに架装した状態の拡大平断面図。
【発明を実施するための形態】
【００１３】
図１，図６，図７において、１は左右両側部がパネル同士の接合用の段部１ａ，１ｂに曲げ形成された標準的仕称の仮囲いパネルで、鋼板製又はプラスチック製のいずれであってもよい。２は左右方向に前記段部１ａ，１ｂにおいて互に密着接合された状態で立設された前記パネル１による仮囲いＷをその背面に当接して支持する単管等による支持枠体、３は前記仮囲いパネル１の上方に透設された、後述する本発明照明装置Ｌａを架装するための装着用角穴で、該角穴３ａの四隅に対応した部位にある段部１ａ，１ｂの裏面に、照明装置Ｌａをその支持辺５ｂ，５ｃで係止するための４本のネジ杆４が立設されている。
【００１４】
図２〜図６，図７に例示した本体発明照明装置Ｌａは、次の構成より成る。
まず、図２〜６，図７において、５は前面側を額縁状に開口５ａした浅底の箱状本体でこの本体５は、左右側部に、狭幅の翼状支持辺５ｂ，５ｃを備え、かつ、箱状本体５の裏面開口部に対して裏蓋５ｄが着脱自在に設けられている。なお、箱状本体５は、裏蓋５ｄが設けられないものや該本体５の裏面以外に設けたものでもよい。前記支持辺５ｂ，５ｃには、前記パネル側の４本のネジ杆４に嵌まる４個のダルマ穴５ｅが設けられている。だるま穴５ｅとネジ杆４との係合であるから、ネジ杆４の緊締、緩めで照明装置Ｌａを容易に仮囲いパネル１に対して強固に固定することと迅速に着脱することができる。
【００１５】
５ｆは前記額縁状開口５ａの裏面側の左右側部に形成した平断面から見て横向き略凹状のフィルムケースガイド部で、このガイド部５ｆは下端部が箱状本体５の底部に形成したフィルムケースＦｃのスリット状出入口５ｇに連通している。
【００１６】
フィルムケースＦｃは、図2、図6で分かるように、光透過性、具体的には透明のプラスチック板などによるベース板６ａと該ベース板６ａに下端部を基部６ｃにおいて接着やピンなどで結合した透明なカバー板６ｂとから形成され、ベース板６ａとカバー板６ｂの間に、表示フィルムＦが入れ替え自在に挟持されている。
【００１７】
図６において、７は箱状本体５の底壁５ｈの下面に設けたフィルムケースＦｃのロック機構で、箱状本体５の前後方向に向けて進退自在に設けた固定金具７ａの先端部がフィルムケースＦｃの結合基部６ｃに設けた凹部又は穴（いずれも図に表われず）に進入することにより、当該ケースＦｃを箱状本体５の底壁に設けたスリット状の出入口５ｇから引き出せないようにロックする。フィルムケースＦｃを出入口５ｇから引き出すには、前記金具７ａを後退させてその先端部をフィルムケースＦｃの基部６ｃに設けられている凹部（又は穴）から離脱させる。
【００１８】
本発明照明装置Ｌａは、図７に例示するように箱状本体５の内部に、ＬＥＤや蛍光灯などの発光光源８ａと該光源８ａに点灯電力を供給、遮断する電源部８ｂとを備え、該電源部８ｂに外部の商用電源等の電力を供給するためのリード部８ｃ付きの入力用プラグ８ｄと出力用コンセント８ｅとを当該本体５の外部に備えている。
【００１９】
本発明照明装置Ｌａでは、上記のように仮囲いパネル１の角穴３に架装される箱状本体５に、入力用プラグ８ｄと出力用コンセント８ｅを設けたから、図１，図５に例示するように、仮囲いＷに複数の照明装置Ｌａを列設したとき、各装置Ｌａの光源８ａ用の電力を、並んだ各照明装置Ｌａの間で、両端に連結用プラグ９ａとコンセント９ｂを備えた延長ケーブル９を介して直列接続することができる。これにより仮囲いＷに適宜ピッチで列設させた複数個の照明装置Ｌａに対する電源ラインをスマートに設定することができる。図５において、１０は工事現場等に設置された現場コンセントであるが、本発明では、現場コンセント１０が１個あれば、上記電源ラインの接続形態で複数の照明装置Ｌａに必要な電力を供給することができる。
【００２０】
また、本発明では、フィルムホルダーＦｃを箱状本体５の底壁５ｈに形成したスリット状の出入口５ｇから出し入れするようにしたから、屋外に設置されても雨水等がフィルムケースＦｃに入る恐れがない。また、表示内容の切換えは、フィルムホルダーＦｃを形成しているベース板６ａとカバー板６ｂの間に挟持されている表示フィルムＦを差し替えるだけで済むから、表示内容の変更や表示フィルムＦを入れない照明灯機能の選択を容易に行うことができる。
【００２１】
本発明は以上の通りであるから、仮囲い用の照明装置としてきわめて有用である。
【符号の説明】
【００２２】
Ｗ    仮囲い
１    仮囲いパネル
２    支持枠体
３    角穴
４    係止用のネジ杆
Ｌａ  本発明照明装置
５    箱状本体
Ｆｃ  フィルムケース
Ｆ  表示フィルム
６ａ  ベース板
６ｂ  カバー板
６ｃ  結合基部
７    ロック機構
７ａ  固定金具
８ａ  発光光源
８ｂ  電源部
８ｃ  リード部
８ｄ  入力用プラグ
８ｅ  出力用コンセント
９    延長ケーブル
９ａ  連結用プラグ
９ｂ  連結用コンセント
１０  現場コンセント
【図１】
0006545977.tif 000002
【図２】
0006545977.tif 000003
【図３】
0006545977.tif 000004
【図４】
0006545977.tif 000005
【図５】
0006545977.tif 000006
【図６】
0006545977.tif 000007
【図７】
0006545977.tif 000008